(57)【要約】【課題】  草刈性能と耐久性を向上させると共に、左右どちらに回転させても草刈可能な草刈用チップソーを提供する。【解決手段】  円盤状のブレード２の外周に沿って所定の角度ピッチで凹凸が形成され、歯４となるその凸部に超硬からなるチップ５を固着して刃部６が形成された草刈用チップソー１において、歯４が左右対称の山形状に形成され、その外縁部に所定の傾斜角でカットされた切れ刃７ａ、７ｂが形成されると共に、チップ５が略直方体に形成され、その対角部には長手方向に延びる前掬い面９と前逃げ面１０とで構成される前切れ刃１１と、この前切れ刃１１の後部に後逃げ面１２が形成され、この後逃げ面１２と前掬い面９とに挟まれた基部１３が、歯４の先端に形成された凹所８に嵌合されている。【選択図】図２
2005124407.tif 000002
【特許請求の範囲】
【請求項１】
円盤状のブレードの外周に沿って所定の角度ピッチで凹凸が形成され、歯となるその凸部に超硬からなるチップを固着して刃部が形成された草刈用チップソーにおいて、前記歯が左右対称の山形状に形成され、その外縁部に所定の傾斜角でカットされた切れ刃が形成されると共に、この切れ刃間に切欠け状の凹所が放射状に形成され、この凹所に略直方体に形成されたチップが嵌合されていることを特徴とする草刈用チップソー。
【請求項２】
前記チップに、その対角部に長手方向に延びる前掬い面と前逃げ面とで構成される前切れ刃が形成されている請求項１に記載の草刈用チップソー。
【請求項３】
前記チップの前切れ刃の後部に後逃げ面が形成され、この後逃げ面と前記前掬い面とに挟まれた基部が、前記歯の先端に形成された凹所に嵌合されている請求項２に記載の草刈用チップソー。
【請求項４】
前記チップの横断面が略菱形に形成され、その中央部の基部が、前記歯の先端に形成された凹所に嵌合されている請求項１または２に記載の草刈用チップソー。
【請求項５】
前記チップの上端が、前記歯の２つの交差する稜線内に位置している請求項１乃至４いずれかに記載の草刈用チップソー。
【発明の詳細な説明】
【技術分野】
【０００１】
本発明は、円盤状のブレードにチップが固着された草刈用チップソーに関し、詳しくは、ブレードの表裏両面、すなわち、左右どちらに回転させても草刈可能とした草刈用チップソーに関するものである。
【背景技術】
【０００２】
従来一般に使用されている草刈用チップソーは、鋼板からなる円盤状のブレードに、その外縁から突出するように所定角度ピッチで、超硬合金製のチップをロウ付けしてなるものである。図９および図１０に示すものはその一例である。この草刈用チップソーは、円盤状のブレード５１を２等分して右半面５７の周縁部に複数の歯形５２が設けられ、所定箇所に親刃５４が形成されると共に、頂部には親刃５４に対する負荷を軽減するためのあさり５３と、回転時の抵抗を少なくするための傾斜部５５が設けられている。
【０００３】
右半面５７の裏面および左半面５６にはあさり５３が設けられず平坦に形成されており、また、左半面５６の周縁部は、右半面５７の構造と同様にされている。こうした構成にすることにより、左右どちらに回転させても使用することができ、草刈チップソーが草刈機に逆に装着されたとしても使用することができる。したがって、作業性が向上すると共に、刃が外れたり欠けたりすることなく安全に使用することができる。
【特許文献１】特開２０００−１８８９２３号公報
【発明の開示】
【発明が解決しようとする課題】
【０００４】
しかしながら、このような従来の草刈用チップソーは、左右双方回転に使用できて作業性は向上する反面、親刃５４およびあさり５３が左右半分ずつ対称となっているため、実質的に草刈性能は半減し、それに伴い耐久性も著しく低下するのは否めない。
【０００５】
本発明は、こうした従来の問題に鑑みて開発されたものであり、草刈性能と耐久性を向上させると共に、左右どちらに回転させても草刈可能な草刈用チップソーを提供することを目的とする。
【課題を解決するための手段】
【０００６】
係る目的を達成すべく、本発明のうち請求項１に記載の発明は、円盤状のブレードの外周に沿って所定の角度ピッチで凹凸が形成され、歯となるその凸部に超硬からなるチップを固着して刃部が形成された草刈用チップソーにおいて、前記歯が左右対称の山形状に形成され、その外縁部に所定の傾斜角でカットされた切れ刃が形成されると共に、この切れ刃間に切欠け状の凹所が放射状に形成され、この凹所に略直方体に形成されたチップが嵌合されている。
【０００７】
このように、歯が左右対称の山形状に形成され、その外縁部に所定の傾斜角でカットされた補助刃となる切れ刃が形成されると共に、この切れ刃間に切欠け状の凹所が放射状に形成され、この凹所に略直方体に形成されたチップが嵌合されているので、チップソーを左右両方向どちらに回転させても草刈が可能となる。したがって、草刈性能が向上し、草が絡んで切れ味が落ちることもなく、作業性が一段と向上する。また、チップソーが草刈機に表裏逆に装着された場合であっても、草刈性能が低下することはなく、チップが外れたり欠けたりする危険性もない。したがって、表裏を逆にして再度使用することもでき、実質的に寿命は２倍になり、耐久性が格段に向上する。
【０００８】
好ましくは、請求項２に記載の発明のように、前記チップに、その対角部に長手方向に延びる前掬い面と前逃げ面とで構成される前切れ刃が形成されていれば、切削加工が一層良好となる。
【０００９】
さらに好ましくは、請求項３に記載の発明のように、前記チップの前切れ刃の後部に後逃げ面が形成され、この後逃げ面と前記前掬い面とに挟まれた基部が、前記歯の先端に形成された凹所に嵌合されていれば、凹所の形状が単純化されて加工が容易となるだけでなく、チップの位置決めが容易にでき、組立性が向上する。
【００１０】
また、請求項４に記載の発明は、前記チップが、前記断面が菱形をなす略直方体に形成されているので、このチップの側面自体が前掬い面および後逃げ面となり、研磨によって前掬い面を精度良く容易に形成することができ、低コスト化ができる。
【００１１】
また、請求項５に記載の発明は、前記チップの上端が、前記歯の２つの交差する稜線内に位置しているので、チップが石等の異物に当って外れたり欠けたりすることなく安全に使用することができると共に、耐久性が向上する。
【発明の効果】
【００１２】
本発明に係る草刈用チップソーは、円盤状のブレードの外周に沿って所定の角度ピッチで凹凸が形成され、歯となるその凸部に超硬からなるチップを固着して刃部が形成された草刈用チップソーにおいて、前記歯が左右対称の山形状に形成され、その外縁部に所定の傾斜角でカットされた切れ刃が形成されると共に、この切れ刃間に切欠け状の凹所が放射状に形成され、この凹所に略直方体に形成されたチップが嵌合されているので、チップソーを左右両方向どちらに回転させても草刈が可能となる。したがって、草刈性能が向上し、草が絡んで切れ味が落ちることもなく、作業性が一段と向上する。また、チップソーが草刈機に表裏逆に装着された場合であっても、草刈性能が低下することはなく、チップが外れたり欠けたりする危険性もない。したがって、表裏を逆にして再度使用することもでき、実質的に寿命は２倍になり、耐久性が格段に向上する。
【発明を実施するための最良の形態】
【００１３】
円盤状のブレードの外周に沿って所定の角度ピッチで凹凸が形成され、歯となるその凸部に超硬からなるチップを固着して刃部が形成された草刈用チップソーにおいて、前記歯が左右対称の山形状に形成され、その外縁部に所定の傾斜角でカットされた切れ刃が形成されると共に、前記チップが略直方体に形成され、その対角部には長手方向に延びる前掬い面と前逃げ面とで構成される前切れ刃と、この前切れ刃の後部に後逃げ面が形成され、この後逃げ面と前記前掬い面とに挟まれた基部が、前記歯の先端に形成された凹所に嵌合されている。
【実施例１】
【００１４】
以下、本発明の実施の形態を図面に基づいて詳細に説明する。
図１は、本発明に係る草刈用チップソーの第１の実施形態を示す正面図、図２（ａ）は図１の要部拡大図、（ｂ）は（ａ）の上面図、図３は、ブレード先端部の要部矢視図、図４は、チップの斜視図である。
【００１５】
この草刈用チップソー１は、円盤状のブレード２と、このブレード２に固着されたチップ５とからなる。そして、円盤状のブレード２の中心部に草刈用チップソー１を図示しない草刈機の回転軸に取付けるための軸孔３が形成されると共に、ブレード２の外周に沿って凹凸が形成され、その凸部を歯４としている。それぞれの歯４には、超硬からなるチップ５が固着され、刃部６を構成している。
【００１６】
図２および 図３に示すように、歯４は左右対称の山形状に形成され、その外縁部に所定の傾斜角、例えば３０〜４５°でカットされた切れ刃７が形成されている。この切れ刃７は、カット面の位置が異なる一対の切れ刃７ａ、７ｂで構成されている。すなわち、一方の切れ刃７ａ（図中右側）は、ブレード２の表面側にカット面が、他方の切れ刃７ｂ（図中左側）は、裏面側にカット面がそれぞれ形成されている。また、歯４の先端で、これら一対の切れ刃７ａ、７ｂの間には切欠き状の凹所８が放射に形成され、後述するチップ５が嵌合される。
【００１７】
チップ５は、図２および図４に示すように、略直方体に形成され、それぞれ対角部には長手方向に延びる前掬い面９と前逃げ面１０で構成される前切れ刃１１を有している。また、この前切れ刃１１の後部には後逃げ面１２がそれぞれ形成され、草刈用チップソー１を左右両方向どちらに回転させても草刈が可能となっている。ここで、前後とは、図２（ａ）の矢印で示す回転方向に対しての前後方向を指している。
【００１８】
また、チップ５の中央部には前掬い面９と後逃げ面１２とに挟まれて幅規制された基部１３が形成されている。この基部１３が、歯４の先端に形成された凹所８に嵌合されるため、凹所８の形状が単純化され、その加工が容易となるだけでなく、チップ５の嵌合位置決めが容易にでき、組立性が向上する。なお、チップ５は、アクリル系の接着剤、あるいはロウ付けによりによりブレード２に一体固着されている。
【００１９】
従来のチップソーでは、チップソーの最大外径部となる前切れ刃で切削するため、石等の異物に当ってチップが欠けたり外れたりする問題があるが、本実施形態では、草刈の際の切削作用は、チップ５の長手方向に亙って形成された前掬い面９（本刃）と、山形状の歯４の外縁部に所定の傾斜角でカットされた切れ刃７（補助刃）で行われるから、チップ５は、歯４の先端から僅かに０．５〜１．０ｍｍ程度突出させるだけで良く、チップ５の上端は、山形状の歯４の２つの交差する稜線内に位置している。したがって、チップ５が石等の異物に当って外れたり欠けたりすることなく安全に使用することができる。
【００２０】
また、通常、草刈作業は、チップソーを一定方向に回転させた状態で、草刈機を左右揺動させて行われるが、揺動における戻りの際に草が絡んで切れ味が落ち、作業性が極度に低下するという問題があるが、本実施形態に係る草刈用チップソー１は、左右両方向どちらに回転させても草刈が可能となっているため、草刈性能が向上し、戻りの際に草が絡んで切れ味が落ちることもなく、作業性が一段と向上する。
【００２１】
また、チップソーが草刈機に表裏逆に装着された場合であっても、草刈性能が低下することはなく、チップ５が外れたり欠けたりする危険性もない。したがって、表裏を逆にして再度使用することもでき、実質的に寿命は２倍になり、耐摩耗性をはじめチップ５の耐久性が格段に向上する。
【００２２】
本実施形態では、チップ５は、前掬い面９と後逃げ面１２と、これらに挟まれて幅規制された基部１３とからなる形状を例示したが、山形状の歯４の切れ刃７でも切削されるため、これに限らず、チップは単純な直方体形状であっても従来に比べ良好な切削加工ができる。
【実施例２】
【００２３】
図５は、本発明に係る草刈用チップソーの第２の実施形態を示す正面図、図６（ａ）は図５の要部拡大図、（ｂ）は（ａ）の上面図、図７は、ブレード先端部の要部矢視図、図８は、チップの斜視図である。なお、本実施形態は、前述した実施形態と基本的にはチップ形状とその嵌合部の形状が異なるだけで、その他同一部位には同じ符号を付して詳細な説明を省略する。
【００２４】
この草刈用チップソー１４は、円盤状のブレード１５の外周に沿って凹凸が形成され、その凸部を歯４としている。それぞれの歯４には、超硬からなるチップ１６が固着され、刃部１７を構成している。
【００２５】
図６および図７に示すように、歯４は左右対称の山形状に形成され、その外縁部に所定の傾斜角、例えば３０〜４５°でカットされた切れ刃７が形成されている。この切れ刃７は、カット面の位置が異なる一対の切れ刃７ａ、７ｂで構成されている。また、歯４の先端で、これら一対の切れ刃７ａ、７ｂの間には切欠き状の凹所１８が放射に形成され、後述するチップ１６が嵌合される。
【００２６】
チップ１６は、図６および図８に示すように、横断面が菱形をなす略直方体に形成され、それぞれ対角部には長手方向に延びる前掬い面１９と前逃げ面２０で構成される前切れ刃２１を有している。また、この前切れ刃２１の後部の後逃げ面は、対向する前切れ刃２１の前掬い面１９をなしており、草刈用チップソー１４を左右両方向どちらに回転させても草刈が可能となっている。なお、このチップ１６の側面自体が前掬い面１９となっており、これら左右の前掬い面１９、１９に挟まれたチップ１６の基部２２が、歯４の先端に形成された凹所１８に嵌合する。ここで、この凹所１８は、切れ刃７ａ、７ｂの傾斜角に略等しい角度で傾斜して形成されている。
【００２７】
前述した実施形態と同様、草刈の際の切削作用は、チップ１６の長手方向に亙って形成された前掬い面１９と、山形状の歯４の外縁部に所定の傾斜角でカットされた切れ刃７で行われるから、チップ１６は、歯４の先端から僅かに０．５〜１．０ｍｍ程度突出させるだけで良く、チップ１６の上端は、山形状の歯４の２つの交差する稜線内に位置する。したがって、チップ１６が石等の異物に当って外れたり欠けたりすることなく安全に使用することができると共に、チップ１６の耐摩耗性をはじめ耐久性が向上する。
【００２８】
本実施形態に係る草刈用チップソー１４においても、左右両方向どちらに回転させても草刈が可能となっているため、草刈性能が向上し、戻りの際に草が絡んで切れ味が落ちることもなく、作業性が一段と向上する。また、草刈チップソーが草刈機に表裏逆に装着された場合であっても、草刈性能が低下することはなく、チップが外れたり欠けたりする危険性もない。したがって、表裏を逆にして再度使用することもでき、実質的に寿命は２倍になり、耐久性が格段に向上する。
【００２９】
さらに、チップ１６が嵌合する凹所１８は、切れ刃７ａ、７ｂの傾斜角に略等しい角度で傾斜して形成されているため、本実施形態に係るチップ１６は、横断面がシンプルな菱形形状にすることができる。したがって、研磨によって前掬い面１９を精度良く容易に形成することができ、低コスト化ができる。
【００３０】
以上、本発明の実施の形態について説明を行ったが、本発明はこうした実施の形態に何等限定されるものではなく、あくまで例示であって、本発明の要旨を逸脱しない範囲内において、さらに種々なる形態で実施し得ることは勿論のことであり、本発明の範囲は、特許請求の範囲の記載によって示され、さらに特許請求の範囲に記載の均等の意味、および範囲内のすべての変更を含む。
【産業上の利用可能性】
【００３１】
防錆のためにブレードにニッケルや亜鉛メッキ処理を施したチップソー、あるいは軽量化のためにブレードにチタンあるいはチタン合金を使用したチップソーにも適用できる。
【図面の簡単な説明】
【００３２】
【図１】本発明に係る草刈用チップソーの第１の実施形態を示す正面図である。
【図２】（ａ）は、図１の要部拡大図である。（ｂ）は、（ａ）の上面図である。
【図３】同上、ブレード先端部の要部矢視図である。
【図４】同上、チップの斜視図である。
【図５】本発明に係る草刈用チップソーの第２の実施形態を示す正面図である。
【図６】（ａ）は、図５の要部拡大図である。（ｂ）は、（ａ）の上面図である。
【図７】同上、ブレード先端部の要部矢視図である
【図８】同上、チップの斜視図である。
【図９】従来の草刈用チップソーの正面図である。
【図１０】同上、要部拡大図である。
【符号の説明】
【００３３】
１、１４・・・・・草刈用チップソー
２、１５・・・・・ブレード
３・・・・・・・・軸孔
４・・・・・・・・歯
５、１６・・・・・チップ
６、１７・・・・・刃部
７、７ａ、７ｂ・・切れ刃
８、１８・・・・・凹所
９、１９・・・・・前掬い面
１０、２０・・・・前逃げ面
１１、２１・・・・前切れ刃
１２・・・・・・・後逃げ面
１３、２２・・・・基部
５１・・・・・・・ブレード
５２・・・・・・・歯形
５３・・・・・・・あさり
５４・・・・・・・親刃
５５・・・・・・・傾斜部
５６・・・・・・・左半面
５７・・・・・・・右半面
【図１】
2005124407.tif 000003
【図２】
2005124407.tif 000004
【図３】
2005124407.tif 000005
【図４】
2005124407.tif 000006
【図５】
2005124407.tif 000007
【図６】
2005124407.tif 000008
【図７】
2005124407.tif 000009
【図８】
2005124407.tif 000010
【図９】
2005124407.tif 000011
【図１０】
2005124407.tif 000012